(57)【要約】【課題】携帯無線機筐体内の回路基板のグランドパターンを活用する不平衡系のアンテナでダイバーシチを行う場合でも２本のアンテナ素子間における相互影響を低く抑えることができる携帯無線機を提供する。【解決手段】下筐体２Ｂ内の回路基板４の給電部７Ａと給電部７Ｂとの間に、下筐体２Ｂの第１の誘電率より高い第２の誘電率を有する誘電体１０を設ける。これにより、アンテナ素子５Ａとアンテナ素子５Ｂに共通するグランドを等価的に拡張されるアンテナ間距離拡大効果が得られ、このアンテナ間距離拡大効果により、アンテナ素子５Ａとアンテナ素子５Ｂの相互影響が低減し、送信時にはアンテナの放射効率の向上が図れ、受信時には感度の向上が図れる。【選択図】図１
2010171700.tif 000002
【特許請求の範囲】
【請求項１】
第１の誘電率を有する非導体で構成される筐体と、
前記筐体に設けられた回路基板と、
前記回路基板に設けられた所定の動作周波数帯域に対応する無線回路と、
前記筐体の一端部に配置された第１のアンテナ素子と、
前記筐体の他端部に配置された第２のアンテナ素子と、
前記無線回路に接続され前記第１のアンテナ素子に給電する第１の給電部と、
前記無線回路に接続され前記第２のアンテナ素子に給電する第２の給電部と、
前記回路基板の前記第１の給電部と前記第２の給電部との間に設けられ前記第１の誘電率より高い第２の誘電率を有する誘電体と、
を備えた携帯無線機。
【請求項２】
前記第１のアンテナ素子は前記筐体の長手方向の一方の端部に配置され、前記第２のアンテナ素子は前記筐体の長手方向の他方の端部に配置された請求項１に記載の携帯無線機。
【請求項３】
前記誘電体は枠状の構成を有する請求項１又は請求項２に記載の携帯無線機。
【発明の詳細な説明】
【技術分野】
【０００１】
本発明は、携帯電話やＰＨＳ（Personal Handy Phone System）等の携帯無線機に関し、特に２本のアンテナ素子で構成されるダイバーシチアンテナを備えた携帯無線機に関する。
【背景技術】
【０００２】
上述した携帯無線機に用いられるダイバーシチアンテナとして、例えば特許文献１や特許文献２で開示されているものが知られている。特許文献１には、複数のアンテナの各々を受信波の波長の数十分の一の大きさの微少な電気長を有するループアンテナとし、且つ互いに前記波長の数十分の一の距離に近接させて同一平面上に各給電点が互いに逆になるように配置するようにしたダイバーシチアンテナが開示されている。特許文献２には、基板上のグランドパターンに接地したメインアンテナと、前記グランドパターンに接地した線状エレメントを有するチップアンテナと、前記メインアンテナと前記線状エレメントとを切り替えるためのダイバーシチ処理部と、前記線状エレメントとともに前記基板上においてループ形状を形成するためのループパターンとを含み、前記ループパターンが、前記線状エレメントの開放端に接続した一端と、前記線状エレメントの給電点近傍に至らせた他端とを含めて構成されたダイバーシチアンテナ装置が開示されている。
【０００３】
【特許文献１】特開平３−０９３３２２号公報
【特許文献２】特開２００７−１２４０１０号公報
【発明の開示】
【発明が解決しようとする課題】
【０００４】
ところで、携帯無線機筐体内の回路基板のグランドパターンを活用する不平衡系のアンテナでダイバーシチを行う場合、２本のアンテナ素子間で相互影響が発生し、送信時にはアンテナの放射効率が低下し、受信時には感度が低下する問題がある。特に、低い周波数ほど（即ち、回路基板のグランドパターンへの電流分散が大きい周波数ほど）相互影響が大きくなる。
【０００５】
本発明は、係る事情に鑑みてなされたものであり、携帯無線機筐体内の回路基板のグランドパターンを活用する不平衡系のアンテナでダイバーシチを行う場合でも２本のアンテナ素子間における相互影響を低く抑えることができる携帯無線機を提供することを目的とする。
【課題を解決するための手段】
【０００６】
本発明の携帯無線機は、第１の誘電率を有する非導体で構成される筐体と、前記筐体に設けられた回路基板と、前記回路基板に設けられた所定の動作周波数帯域に対応する無線回路と、前記筐体の一端部に配置された第１のアンテナ素子と、前記筐体の他端部に配置された第２のアンテナ素子と、前記無線回路に接続され前記第１のアンテナ素子に給電する第１の給電部と、前記無線回路に接続され前記第２のアンテナ素子に給電する第２の給電部と、前記回路基板の前記第１の給電部と前記第２の給電部との間に設けられ前記第１の誘電率より高い第２の誘電率を有する誘電体と、備えた。
【０００７】
上記構成によれば、第１の給電部と第２の給電部との間に筐体の第１の誘電率より高い第２の誘電率を有する誘電体を設けることで、第１のアンテナ素子と第２のアンテナ素子に共通するグランドを等価的に拡張することができる。即ち、基板長を長く見せる効果（アンテナ間距離拡大効果）が得られる。このアンテナ間距離拡大効果により、第１のアンテナ素子と第２のアンテナ素子の相互影響が低減し、送信時にはアンテナの放射効率の向上が図れ、受信時には感度の向上が図れる。
【０００８】
また、上記構成において、前記第１のアンテナ素子を前記筐体の長手方向の一方の端部に配置し、前記第２のアンテナ素子を前記筐体の長手方向の他方の端部に配置する。
【０００９】
この構成によれば、物理的にも第１のアンテナ素子と第２のアンテナ素子との間の距離を長くとることができ、上記アンテナ間距離拡大効果のみの場合よりも更に相互影響を低減することができる。
【００１０】
また、上記構成において、前記誘電体は枠状の構成を有する。
【００１１】
この構成によれば、平面状とした誘電体に比べて面積が小さくなる分、エネルギー損失を低く抑えることができるので、アンテナの放射効率の更なる向上が図れる。
【発明の効果】
【００１２】
本発明は、回路基板の第１の給電部と第２の給電部との間に筐体の第１の誘電率より高い第２の誘電率を有する誘電体を設けたので、第１のアンテナ素子と第２のアンテナ素子に共通するグランドを等価的に拡張することができ、これにより、第１のアンテナ素子と第２のアンテナ素子の相互影響が低減し、送信時にはアンテナの放射効率の向上が図れ、受信時には感度の向上が図れる。
【発明を実施するための最良の形態】
【００１３】
以下、本発明を実施するための好適な実施の形態について、図面を参照して詳細に説明する。
【００１４】
図１は、本発明の一実施の形態に係る携帯無線機の外観を示す図である。本実施の形態の携帯無線機１は、上筐体２Ａと下筐体２Ｂの２つの部分からなる折り畳み方式の携帯無線機であり、図１はこれを開状態にして裏面側を正面にして見た図である。また、図１では、上筐体２Ａと下筐体２Ｂを回動自在に連結するヒンジ部３と、下筐体２Ｂに設けられた回路基板４と２本のアンテナ素子５Ａ、５Ｂと誘電体１０をそれぞれ点線で示している。
【００１５】
上筐体２Ａと下筐体２Ｂは、それぞれ第１の誘電率（ε1）を有する非導体で構成されている。アンテナ素子（第１のアンテナ素子）５Ａは、下筐体２Ｂの長手方向の一方の端部に配置されており、アンテナ素子（第２のアンテナ素子）５Ｂは、下筐体２Ｂの長手方向の他方の端部に配置されている。アンテナ素子５Ａ及び５Ｂは、回路基板４のグランドパターンを活用する不平衡系のアンテナであり、ダイバーシチが可能となっている。
【００１６】
下筐体２Ｂに設けられた回路基板４には、所定の動作周波数帯域に対応する無線回路６と、第１のアンテナ素子５Ａに給電を行う給電部（第１の給電部）７Ａと、第２のアンテナ素子５Ｂに給電を行う給電部（第２の給電部）７Ｂとが実装されている（図２参照）。給電部７Ａと給電部７Ｂはそれぞれ無線回路６に接続されており、無線回路６から略同一周波数の送信信号が供給される。回路基板４の給電部７Ａと給電部７Ｂとの間には下筐体２Ｂを構成する非導体の第１の誘電率より高い第２の誘電率（ε0、ε0＞ε1）を有する平面状の誘電体１０が設けられている。
【００１７】
図２は、回路基板４、アンテナ素子５Ａ、５Ｂ、給電部７Ａ、７Ｂ及び誘電体１０の位置関係を示す図である。給電部７Ａ、７Ｂは、回路基板４の対角方向の角部に対向して配置されており、給電部７Ａ、７Ｂの間には誘電体１０が配置されている。誘電体１０は、例えば薄いシート状に形成されたものであり、両面テープ（図示略）で下筐体２Ｂの裏面側で且つ回路基板４上のグランドパターン（図示略）の近傍に貼り付けられる。なお、誘電体１０を薄いシート状に形成して両面テープで貼り付ける以外に、誘電体材を蒸発させて下筐体２Ｂの裏面側の内面に付着させることも可能である。誘電体材としては、フォルステライト、酸化アルミニウム、ニオブ酸マグネシウム酸バリウム、チタン酸ネオジウム酸バリウムなどのセラミック素材（比誘電率１００以下）が好適である。
【００１８】
回路基板４のグランドパターンを活用する不平衡系のアンテナであるアンテナ素子５Ａとアンテナ素子５Ｂの間に誘電体１０を設けることで、回路基板４のアンテナ素子５Ａ、５Ｂに共通するグランドを等価的に拡張することができる。即ち、回路基板４の基板長を長く見せる効果（アンテナ間距離拡大効果）が得られる。このアンテナ間距離拡大効果により、アンテナ素子５Ａとアンテナ素子５Ｂの相互影響が低減し、送信時にはアンテナの放射効率の向上が図れ、受信時には感度の向上が図れる。
【００１９】
下筐体２Ｂの正面側にはキー操作部やマイク等（いずれも図示略）が設けられている。一方、上筐体２Ａの裏面側にはサブ表示器２０とカメラ２１が設けられており、上筐体２Ａの正面側にはメイン表示器やスピーカ等（いずれも図示略）が設けられている。
【００２０】
以上のように本実施の形態の携帯無線機１によれば、下筐体２Ｂ内の回路基板４の給電部７Ａと給電部７Ｂとの間に、下筐体２Ｂの第１の誘電率より高い第２の誘電率を有する誘電体１０を有するので、アンテナ素子５Ａとアンテナ素子５Ｂに共通するグランドを等価的に拡張することができ、これにより、アンテナ素子５Ａとアンテナ素子５Ｂの相互影響が低減し、送信時にはアンテナの放射効率の向上が図れ、受信時には感度の向上が図れる。
【００２１】
また、アンテナ素子５Ａを下筐体２Ｂの長手方向の一方の端部に配置し、アンテナ素子５Ｂを下筐体２Ｂの長手方向の他方の端部に配置したので、物理的にもアンテナ素子５Ａとアンテナ素子５Ｂとの距離を長くとることができ、誘電体１０を設けることで得られるアンテナ間距離拡大効果の場合よりも更に相互影響の低減が図れる。
【００２２】
なお、上記実施の形態では、誘電体１０の形状を平面状としたが、図３に示すように枠状としてもよい。誘電体１０の形状を枠状とすることで、面積を小さくでき、その分、エネルギー損失を低く抑えることができる。これにより、アンテナの放射効率の更なる向上が図れる。なお、説明するまでもないが、枠内には下筐体２Ｂの一部分が露出することになる。
【００２３】
本発明は、上述した折り畳み構造の携帯無線機１の他に、２つの筐体からなり、一方の筐体を他方の筐体に対してスライドさせることで開閉するようにしたスライド構造の携帯無線機や１つの筐体からなるストレート構造の携帯無線機にも勿論適用が可能である。
【産業上の利用可能性】
【００２４】
本発明は、携帯無線機筐体内の回路基板のグランドパターンを活用する不平衡系のアンテナでダイバーシチを行う場合でも２本のアンテナ素子間における相互影響を低く抑えることができるといった効果を有し、携帯電話やＰＨＳ等の携帯無線機への適用が可能である。
【図面の簡単な説明】
【００２５】
【図１】本発明の一実施の形態に係る携帯無線機の外観を示す図
【図２】図１における回路基板、２つのアンテナ素子、２つの給電部及び誘電体の位置関係を示す図
【図３】図１の誘電体の変形例を用いた場合の回路基板、２つのアンテナ素子、２つの給電部及び誘電体の位置関係を示す図
【符号の説明】
【００２６】
１  携帯無線機
２Ａ  上筐体
２Ｂ  下筐体
３  ヒンジ部
４  回路基板
５Ａ、５Ｂ  アンテナ素子
６  無線回路
７Ａ、７Ｂ  給電部
１０  誘電体
２０  サブ表示器
２１  カメラ
【図１】
2010171700.tif 000003
【図２】
2010171700.tif 000004
【図３】
2010171700.tif 000005